(57)【要約】【課題】ユーザの生活状況に応じて旅行の計画を提案することができる旅行提案システム、情報生成装置、旅行提案方法、情報生成方法及びプログラムを提供する。【解決手段】旅行提案システム１０は、第１取得部２１０と、出力部２１３とを備える。第１取得部２１０は、施設５に備えられた機器５０の動作に関する機器関連情報及び施設５のユーザのスケジュールのうち少なくともいずれかを分析して得られたユーザの属性情報を取得する。出力部２１３は、属性情報に基づいた情報であってユーザに旅行の計画を提案し、かつ少なくとも旅行先を含む旅行情報を出力する。【選択図】図１
2018112888.tif 000002
【特許請求の範囲】
【請求項１】
施設に備えられた機器の動作に関する機器関連情報及び前記施設のユーザのスケジュールのうち少なくともいずれかを分析して得られた前記ユーザの属性情報を取得する情報取得部と、
前記属性情報に基づいた情報であって少なくとも旅行先を含み、前記ユーザに旅行の計画を促せる旅行情報を出力する出力部とを備える
ことを特徴とする旅行提案システム。
【請求項２】
前記属性情報は、前記ユーザの趣味、関心及び生活状況のうち少なくともいずれかを含む生活属性情報を含み、
前記出力部は、前記生活属性情報に適した前記旅行情報を出力する
ことを特徴とする請求項１に記載の旅行提案システム。
【請求項３】
前記属性情報は、前記ユーザの旅行に関する情報であって前記ユーザが好む旅行期間、時期及び旅行の日程のうち少なくともいずれかを含む旅行属性情報を含み、
前記出力部は、前記旅行属性情報に適した前記旅行情報を出力する
ことを特徴とする請求項１又は２に記載の旅行提案システム。
【請求項４】
前記旅行情報は、旅行会社が企画する旅行の旅行プランであり、
前記出力部は、前記属性情報に適した旅行プランを出力する
ことを特徴とする請求項１〜３のいずれか一項に記載の旅行提案システム。
【請求項５】
前記旅行情報に含まれる旅行先について提案する旅行の時期の当該旅行先の状況を取得する状況取得部を、さらに備え、
前記出力部は、さらに、前記旅行先の状況を出力する
ことを特徴とする請求項１〜４のいずれか一項に記載の旅行提案システム。
【請求項６】
前記旅行情報に含まれる旅行先について提案する旅行の時期の当該旅行先の状況を取得する状況取得部と、
前記旅行先の状況を基に、前記旅行情報を出力するか否かを判断する出力判断部とを、さらに備え、
前記出力判断部で前記旅行情報を出力すると判断された場合に、前記出力部は、前記旅行情報を出力する
ことを特徴とする請求項１〜４のいずれか一項に記載の旅行提案システム。
【請求項７】
前記属性情報と、前記出力部で出力された前記旅行情報の評価との相関関係を報知する報知部を、さらに備える
ことを特徴とする請求項１〜６のいずれか一項に記載の旅行提案システム。
【請求項８】
前記報知部は、
前記属性情報と、前記ユーザによる前記旅行情報に基づいた旅行の実行又は不実行とを対応付けた情報を、前記相関関係として報知する
ことを特徴とする請求項７に記載の旅行提案システム。
【請求項９】
前記属性情報は、前記ユーザの旅行の頻度を含み、
前記ユーザの旅行の頻度に応じて前記ユーザに旅行の計画を提案するタイミングを判断する提案判断部を、さらに備え、
前記出力部は、前記提案判断部で判断された提案のタイミングで前記旅行情報を出力する
ことを特徴とする請求項１〜８のいずれか一項に記載の旅行提案システム。
【請求項１０】
前記機器関連情報及び前記スケジュールのうち少なくとも一方を分析して前記属性情報を生成する生成部を、さらに備える
ことを特徴とする請求項１〜９のいずれか一項に記載の旅行提案システム。
【請求項１１】
前記機器関連情報は、前記機器の電力データ、前記機器が稼働しているか否かを表す稼働データ、及び前記機器としてのセンサの検知結果のうち少なくともいずれかを含む
こと特徴とする請求項１０に記載の旅行提案システム。
【請求項１２】
施設に備えられた機器の動作に関する機器関連情報及び前記施設のユーザのスケジュールのうち少なくともいずれかを分析して前記ユーザの属性情報を生成する生成部と、
請求項１〜９のいずれか一項に記載の旅行提案システムに前記属性情報を出力する出力部とを備える
ことを特徴とする情報生成装置。
【請求項１３】
前記生成部は、
前記機器関連情報及び前記ユーザのスケジュールのうち少なくともいずれかに基づいて、前記ユーザの生活に関する生活属性情報を、前記属性情報として生成する
ことを特徴とする請求項１２に記載の情報生成装置。
【請求項１４】
前記機器関連情報は、前記機器の電力データ、前記機器が稼働しているか否かを表す稼働データ、及び前記機器としてのセンサの検知結果のうち少なくともいずれかを含み、
前記生成部は、
前記機器関連情報を分析して、前記ユーザの趣味、関心及び生活状況のうち少なくともいずれかを含む前記生活属性情報を生成する
ことを特徴とする請求項１３に記載の情報生成装置。
【請求項１５】
前記生成部は、
前記電力データ及び前記検知結果を分析して、前記ユーザの生活状況を少なくとも含む前記生活属性情報を生成する
ことを特徴とする請求項１３又は１４に記載の情報生成装置。
【請求項１６】
前記機器関連情報は、前記機器の電力データを含み、
前記生成部は、
前記機器関連情報に基づいて、前記ユーザの旅行に関する旅行属性情報を、前記属性情報として生成する
ことを特徴とする請求項１２〜１５のいずれか一項に記載の情報生成装置。
【請求項１７】
前記生成部は、
前記機器の電力データに基づいて前記ユーザの不在期間を特定し、前記不在期間をユーザが旅行した期間として、前記ユーザが好む前記旅行の日数、前記旅行の時期及び前記旅行の日程のうち少なくともいずれかを含む前記旅行属性情報を生成する
ことを特徴とする請求項１６に記載の情報生成装置。
【請求項１８】
施設に備えられた機器の動作に関する機器関連情報及び前記施設のユーザのスケジュールのうち少なくともいずれかを分析して得られた前記ユーザの属性情報を取得する情報取得ステップと、
前記属性情報に基づいた情報であって少なくとも旅行先を含み、前記ユーザに旅行の計画を促せる旅行情報を出力する出力ステップとを含む
ことを特徴とする旅行提案方法。
【請求項１９】
施設に備えられた機器の動作に関する機器関連情報及び前記施設のユーザのスケジュールのうち少なくともいずれかを分析して前記ユーザの属性情報を生成する生成ステップと、
請求項１〜９のいずれか一項に記載の旅行提案システムに前記属性情報を出力する出力ステップとを含む
ことを特徴とする情報生成方法。
【請求項２０】
コンピュータシステムに、
施設に備えられた機器の動作に関する機器関連情報及び前記施設のユーザのスケジュールのうち少なくともいずれかを分析して得られた前記ユーザの属性情報を取得する情報取得処理と、
前記属性情報に基づいた情報であって少なくとも旅行先を含み、前記ユーザに旅行の計画を促せる旅行情報を出力する出力処理とを
実行させるためのプログラム。
【請求項２１】
コンピュータシステムに、
施設に備えられた機器の動作に関する機器関連情報及び前記施設のユーザのスケジュールのうち少なくともいずれかを分析して前記ユーザの属性情報を生成する生成処理と、
請求項１〜９のいずれか一項に記載の旅行提案システムに前記属性情報を出力する出力処理とを
実行させるためのプログラム。
【発明の詳細な説明】
【技術分野】
【０００１】
本発明は、旅行提案システム、情報生成装置、旅行提案方法、情報生成方法及びプログラムに関し、より詳細には、ユーザに旅行の計画を提案する旅行提案システム、情報生成装置、旅行提案方法、情報生成方法及びプログラムに関する。
【背景技術】
【０００２】
従来、携帯電話端末やＰＤＡ（Personal Digital Assistant）にＧＰＳ（Global Positioning System）機能を搭載し、位置情報から有用な情報を推定または検索し、個人の行動を管理できるようにした行動管理装置が提案されている（例えば特許文献１参照）。
【０００３】
特許文献１に記載の行動管理装置は、上述のようにして推定または検索された情報（ユーザが歩いているか、乗り物に乗っているか等の行動情報）を基に行動リストを作成する。これにより、１日のユーザの行動が管理される。
【先行技術文献】
【特許文献】
【０００４】
【特許文献１】特開２００３−７６８１８号公報
【発明の概要】
【発明が解決しようとする課題】
【０００５】
ところで、特許文献１に記載の行動管理装置は、ユーザの位置情報を用いてユーザの１日の行動を管理しているが、ユーザに他の行動を促すことはできない。つまり、特許文献１に記載の行動管理装置は、ユーザに対して別の行動（旅行）を行う計画を立てるきっかけを与えることはできない。そのため、ユーザは旅行の機会を逃したり、旅行することで心身ともリフレッシュできなかったりすることで、不利益を被る可能性がある。
【０００６】
そこで、本発明は上記事由に鑑みてなされており、ユーザの生活状況に応じて旅行の計画を提案することができる旅行提案システム、情報生成装置、旅行提案方法、情報生成方法及びプログラムを提供することを目的とする。
【課題を解決するための手段】
【０００７】
本発明に係る一態様の旅行提案システムは、情報取得部と、出力部とを備える。前記情報取得部は、施設に備えられた機器の動作に関する機器関連情報及び前記施設のユーザのスケジュールのうち少なくともいずれかを分析して得られた前記ユーザの属性情報を取得する。前記出力部は、前記属性情報に基づいた情報であって少なくとも旅行先を含み、前記ユーザに旅行の計画を促せる旅行情報を出力する。
【０００８】
本発明に係る一態様の情報生成装置は、生成部と、出力部とを備える。前記生成部は、施設に備えられた機器の動作に関する機器関連情報及び前記施設のユーザのスケジュールのうち少なくともいずれかを分析して前記ユーザの属性情報を生成する。前記出力部は、上述した旅行提案システムに前記属性情報を出力する。
【０００９】
本発明に係る一態様の旅行提案方法は、情報取得ステップと、出力ステップとを含む。前記情報取得ステップは、施設に備えられた機器の動作に関する機器関連情報及び前記施設のユーザのスケジュールのうち少なくともいずれかを分析して得られた前記ユーザの属性情報を取得する。前記出力ステップは、前記属性情報に基づいた情報であって少なくとも旅行先を含み、前記ユーザに旅行の計画を促せる旅行情報を出力する。
【００１０】
本発明に係る一態様の情報生成方法は、生成ステップと、出力ステップとを含む。前記生成ステップは、施設に備えられた機器の動作に関する機器関連情報及び前記施設のユーザのスケジュールのうち少なくともいずれかを分析して前記ユーザの属性情報を生成する。前記出力ステップは、上述した旅行提案システムに前記属性情報を出力する。
【００１１】
本発明に係る一態様のプログラムは、コンピュータシステムに、情報取得処理と、出力処理とを実行させるためのプログラムである。前記情報取得処理は、施設に備えられた機器の動作に関する機器関連情報及び前記施設のユーザのスケジュールのうち少なくともいずれかを分析して得られた前記ユーザの属性情報を取得する。前記出力処理は、前記属性情報に基づいた情報であって少なくとも旅行先を含み、前記ユーザに旅行の計画を促せる旅行情報を出力する。
【００１２】
本発明に係る一態様のプログラムは、コンピュータシステムに、生成処理と、出力処理とを実行させるためのプログラムである。前記生成処理は、施設に備えられた機器の動作に関する機器関連情報及び前記施設のユーザのスケジュールのうち少なくともいずれかを分析して前記ユーザの属性情報を生成する。前記出力処理は、上述した旅行提案システムに前記属性情報を出力する。
【発明の効果】
【００１３】
この発明によると、ユーザの生活状況に応じて旅行の計画を提案することができる。
【図面の簡単な説明】
【００１４】
【図１】図１は、本発明の実施形態１に係る旅行提案システムの構成を示すブロック図である。
【図２】図２は、同上の旅行提案システムを示すシステム構成図である。
【図３】図３は、本発明の実施形態２に係る旅行提案システムの第２サーバの構成を示すブロック図である。
【発明を実施するための形態】
【００１５】
以下に説明する各実施形態及び変形例は、本発明の一例に過ぎず、本発明は、各実施形態及び変形例に限定されない。これらの実施形態及び変形例以外であっても、本発明に係る技術的思想を逸脱しない範囲であれば、設計等に応じて種々の変更が可能である。
【００１６】
（実施形態１）
本実施形態に係る旅行提案システム１０及び第１サーバ１００（情報生成装置）について、図１，２を用いて説明する。
【００１７】
（１）概要
本実施形態に係る旅行提案システム１０は、図２に示すように、施設５のユーザに対して旅行を提案するためのシステムである。本実施形態における施設５は、電力の需要家の施設を意味しており、電力会社等の電気事業者から電力の供給を受ける施設だけでなく、太陽光発電設備等の自家発電設備から電力の供給を受ける施設も含む。本実施形態の施設５は、一例として戸建住宅である。
【００１８】
旅行提案システム１０は、図１，２に示すように、第１サーバ１００と第２サーバ２００とを備える。第１サーバ１００と第２サーバ２００とは、ネットワーク４を介して互いに通信可能に構成されている（図２参照）。
【００１９】
施設５には、図２に示すように、計測システム２０、ローカル装置４０、複数の機器５０及び複数のセンサ８０が設けられている。機器５０は、例えば、照明器具５１、エアーコンディショナ５２、電気給湯器、炊飯器及び洗濯機等のように、施設５に設置される様々な電気機器、設備機器等である。以下、個々の機器（照明器具５１、エアーコンディショナ５２、炊飯器及び洗濯機等）を特に区別しない場合には、各機器を「機器５０」という。なお、機器５０の各々は、ＥＣＨＯＮＥＴ  Ｌｉｔｅ（登録商標）に準拠した通信インタフェースを有しており、ローカル装置４０と通信可能である。センサ８０は、例えば電池から電力で動作する人感センサである。
【００２０】
旅行提案システム１０の第１サーバ１００は、機器５０及びセンサ８０の動作に関する機器関連情報を分析してユーザの属性情報を生成する。第１サーバ１００は、生成した属性情報を第２サーバ２００へネットワーク４を介して送信する。ここで、属性情報は、生活属性情報及び旅行属性情報のうちいずれかを含む情報である。生活属性情報は、ユーザの趣味、関心及び日常における生活状況のうち少なくともいずれかを含んでいる。旅行属性情報は、ユーザの旅行に関する情報であって旅行期間、時期及び旅行の日程のうち少なくともいずれかを含んでいる。機器関連情報とは、機器５０の電力データ、機器５０の稼働に関する情報（機器稼働情報）、及びセンサ８０の検知結果のうち少なくともいずれかを含む情報である。機器関連情報に含まれる電力データは、系統電源９から電力の供給を受けて動作する機器（機器５０）に対する電力データであり、電池の電力で動作する機器（センサ８０）に対する電力データは含まれない。
【００２１】
旅行提案システム１０の第２サーバ２００は、第１サーバ１００で生成された属性情報を取得する。第２サーバ２００は、取得した属性情報に基づいた旅行情報を、ユーザに対して出力（提示）する。例えば、旅行情報は、情報端末３及び情報端末３ａの少なくともいずれかで表示される。ここで、旅行情報は、ユーザに旅行の計画を提案する情報であって少なくとも旅行先を含んでいる。旅行情報は、例えば、旅行会社店が販売する旅行商品として企画された旅行プランである。旅行プランは、上述した旅行先の他、旅行の時期（日程）、宿泊先の情報、価格、食事の内容、施設情報、及びサービス等を含んでいる。ここで、施設情報とは、例えば露天風呂の有無を表す情報、施設内にレクレーション設備の有無を表す情報等である。また、サービスとは、オプションとしてマッサージのサービスである。なお、旅行情報は、旅行先（お出掛け先）の概念のみを含んでもよい。
【００２２】
（２）構成
次に、本実施形態に係る旅行提案システム１０、計測システム２０及びローカル装置４０の構成について説明する。
【００２３】
（２．１）計測システム
まず、本実施形態に係る旅行提案システム１０と併せて用いられる計測システム２０の構成について、図２を参照しながら説明する。
【００２４】
計測システム２０は、計測ユニット２１と、通信アダプタ２２と、電流センサ２３，２４とを備えている。計測ユニット２１、通信アダプタ２２、及び電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００２５】
計測ユニット２１は、電流センサ２３，２４に電気的に接続されている。電流センサ２３は、主幹ブレーカ６１の一次側に設けられ、幹線を流れる電流の値を計測する。複数の電流センサ２４は、複数の分岐ブレーカ６２に対応して設けられ、複数の分岐回路７０に流れる電流の値をそれぞれ計測する。ここでいう「分岐回路」は、複数の分岐ブレーカ６２にて幹線から分岐された各回路を意味する。分岐回路７０には、分岐ブレーカ６２に接続される配線、照明器具や調理家電等の機器５０、コンセント（アウトレット）、壁スイッチなどを含んでいる。このような分岐回路７０は、本実施形態のように住宅からなる施設５においては、例えばリビング、寝室、玄関、トイレ、子供部屋、キッチン等の部屋ごと、又は機器５０の種類ごとに設けられる。１つの分岐回路７０には、１つの機器５０が含まれてもよいし、複数の機器５０が含まれてもよい。
【００２６】
計測ユニット２１は、電流センサ２３，２４の出力を用いて、幹線及び複数の分岐回路７０の各々について、消費電力と消費電力量との少なくとも一方を計測する。通信アダプタ２２は、計測ユニット２１で計測された計測値を、計測システム２０の計測データ（電力データ）として施設５に設けられたローカル装置４０へ送信する。
【００２７】
要するに、計測システム２０の計測データは、施設５における幹線及び複数の分岐回路７０の各々について、計測ユニット２１で計測される消費電力と消費電力量との少なくとも一方を含んでいる。幹線の消費電力及び消費電力量は、施設５全体での総消費電力及び総消費電力量に相当する。つまり、計測データは、瞬時電力を表す消費電力であってもよいし、一定時間における電力の消費量（使用量）を表す消費電力量であってもよい。また、計測データは、消費電力と消費電力量との両方であってもよい。本実施形態では一例として、計測データは、消費電力を一定時間間隔（例えば２分間隔）で積算した消費電力量である。
【００２８】
（２．２）ローカル装置
ローカル装置４０は、ＣＰＵ（Central Processing Unit）、メモリ、及び通信インタフェースを有するコンピュータを主構成とする。ローカル装置４０は、施設５に設置されている。ローカル装置４０は、いわゆるＨＥＭＳ（Home Energy Management System）コントローラであって、施設５に設置されているＨＥＭＳ対応の機器５０と通信し、機器５０の動作状態の監視及び制御を行う。
【００２９】
ローカル装置４０は、図１に示すように、第１通信部４１と、第２通信部４２と、処理部４３とを備えている。コンピュータを主構成とするローカル装置４０は、所定のプログラムを実行することにより、コンピュータを、第１通信部４１、第２通信部４２、及び処理部４３として機能させる。
【００３０】
第１通信部４１は、例えばイーサネット（登録商標）規格に準拠した通信インタフェースである。本実施形態では、第１通信部４１は、ルータ７（図２参照）を介してネットワーク４に接続されており、第１サーバ１００との間で、ネットワーク４を介して双方向の通信を行う。
【００３１】
第２通信部４２は、施設５に設置された複数の機器５０、計測システム２０（通信アダプタ２２）、及び複数のセンサ８０との通信を行うための通信インタフェースである。すなわち、ローカル装置４０は、施設５に設置された複数の機器５０、計測システム２０（通信アダプタ２２）、及び複数のセンサ８０との通信機能を有している。ローカル装置４０（第２通信部４２）と複数の機器５０、計測システム２０（通信アダプタ２２）、及び複数のセンサ８０との間の通信方式は、例えば、有線通信、又は、Ｗｉ−Ｆｉ（登録商標）及び免許を必要としない小電力無線（特定小電力無線）等の無線通信である。この種の小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。
【００３２】
また、ローカル装置４０においては、少なくとも機器５０の情報が登録されている。具体的には、ローカル装置４０は、機器５０について、例えば、種別（炊飯器、エアーコンディショナ、照明器具、又は洗濯機等）、個々の機器５０を識別するための識別子（アドレス等）、及び機器５０の名称等の情報を記憶している。機器５０の名称については、情報端末３ａ等を用いてユーザが任意に設定でき、基本的には、例えば「リビング北東側・エアコン」のように、機器５０が設置されている場所（エリア）と機器の種別との両方を特定可能な名称が設定される。
【００３３】
処理部４３は、計測システム２０から計測データを機器関連情報として取得し、取得した計測データに日時を対応付けて記憶部に一時的に記憶する。処理部４３は、記憶部に蓄積されている計測システム２０の計測データ及び対応付けられた日時を、定期的に第１通信部４１から第１サーバ１００に送信する。
【００３４】
処理部４３は、各機器５０から、機器５０の動作に変化がある度に、機器５０の状態を表す機器稼働情報を機器関連情報として第２通信部４２を介して受信する。例えば、機器５０がオフ状態からオン状態に切り替わると機器５０がオン状態であることを表す機器稼働情報を、機器５０から受け取る。機器５０がオン状態からオフ状態に切り替わると機器５０がオフ状態であることを表す機器稼働情報を、機器５０から受け取る。処理部４３は、機器５０から受け取った機器稼働情報に、当該機器稼働情報を受け取った日時及び種別を対応付けて記憶する。処理部４３は、記憶部に蓄積されている機器稼働情報と、対応付けられた日時及び種別とを、定期的に第１通信部４１から第１サーバ１００に送信する。
【００３５】
処理部４３は、センサ８０（人感センサ）から、検知結果を機器関連情報として第２通信部４２を介して受信する。処理部４３は、センサ８０から受け取った検知結果に、当該検知結果を受け取った日時を対応付けて記憶する。処理部４３は、記憶部に蓄積されているセンサ８０の検知結果及び対応付けられた日時を、定期的に第１通信部４１から第１サーバ１００に送信する。
【００３６】
（２．３）旅行提案システム
まず、本実施形態に係る旅行提案システム１０の構成について、図１，２を参照しながら説明する。
【００３７】
旅行提案システム１０は、上述したように、第１サーバ１００と第２サーバ２００とを備える。
【００３８】
（２．３．１）第１サーバ
まず、第１サーバ１００の構成について説明する。
【００３９】
第１サーバ１００は、ＣＰＵ、メモリ、及び通信インタフェースを有するコンピュータを主構成とする。第１サーバ１００は、ネットワーク４を介してローカル装置４０との間で様々な情報を授受したり、ネットワーク４を介して第２サーバ２００との間で様々な情報を授受したりする。
【００４０】
第１サーバ１００は、図１に示すように、処理部１０１と、記憶部１０２と、通信部１０３とを備える。コンピュータを主構成とする第１サーバ１００は、所定のプログラムを実行することで、コンピュータを、処理部１０１（特に、後述する生成部１１０及び出力部１１１）、及び通信部１０３として機能させる。
【００４１】
処理部１０１は、定期的にローカル装置４０から受信した計測データ及び対応付けられた日時を、記憶部１０２に記憶する。処理部１０１は、定期的にローカル装置４０から受信した機器５０の機器稼働情報と、対応付けられた日時及び種別とを、記憶部１０２に記憶する。処理部１０１は、定期的にローカル装置４０から受信したセンサ８０の検知結果及び対応付けられた日時を、記憶部１０２に記憶する。
【００４２】
処理部１０１は、図１に示すように、生成部１１０及び出力部１１１を有している。
【００４３】
生成部１１０は、ローカル装置４０から受け取った計測データ、機器稼働情報及びセンサ８０の検知結果のうち少なくともいずれかを用いて、上述した属性情報を生成する。本実施形態では、生成部１１０は、属性情報として、生活属性情報及び旅行属性情報の双方を生成する。属性情報を生成する詳細な動作については、後述する。
【００４４】
出力部１１１は、生成部１１０で生成された属性情報（生活属性情報及び旅行属性情報）を、通信部１０３を介して第２サーバ２００へ送信する。
【００４５】
記憶部１０２は、例えばフラッシュメモリなどの電気的に書換可能な不揮発性の半導体メモリで構成される。記憶部１０２は、ローカル装置４０から受け取った計測データ、機器稼働情報及び複数のセンサ８０の検知結果を、施設５ごとに対応付けて記憶している。
【００４６】
通信部１０３は、第２サーバ２００及びローカル装置４０との通信を行うための通信インタフェースである。本実施形態では、通信部１０３は、インターネット等のネットワーク４に接続されており、第２サーバ２００及びローカル装置４０の各々との間で、ネットワーク４を介して双方向の通信を行う。
【００４７】
（２．３．２）第２サーバ
次に、第２サーバ２００の構成について説明する。
【００４８】
第２サーバ２００は、ＣＰＵ、メモリ、及び通信インタフェースを有するコンピュータを主構成とする。第２サーバ２００は、ネットワーク４を介して第１サーバ１００との間で様々な情報を授受したり、ネットワーク４を介して情報端末３，３ａとの間で様々な情報を教授したりする。
【００４９】
第２サーバ２００は、図１に示すように、処理部２０１と、記憶部２０２と、通信部２０３とを備える。第２サーバ２００は、上述したようにコンピュータを主構成としている。第２サーバ２００は、所定のプログラムを実行することで、コンピュータを、処理部２０１（特に、後述する第１取得部２１０、第２取得部２１１、判断部２１２、出力部２１３、評価部２１４及び報知部２１５）、及び通信部２０３として機能させる。
【００５０】
処理部２０１は、図１に示すように、第１取得部２１０（情報取得部）、第２取得部２１１（状況取得部）、判断部２１２（提案判断部）、出力部２１３、評価部２１４及び報知部２１５を有している。
【００５１】
第１取得部２１０は、第１サーバ１００で生成された属性情報を、第１サーバ１００から通信部２０３を介して取得する。第１取得部２１０は、取得した属性情報に適した１つ以上の旅行情報（旅行プラン）を記憶部２０２から取得する。
【００５２】
第２取得部２１１は、第１取得部２１０で取得した１つ以上の旅行情報に含まれる旅行先の各々について、当該旅行先の状況を、外部のサーバから取得する。ここで、旅行先の状況とは、提案する旅行の時期における旅行先の混雑の度合、旅行先のお土産店、飲食店等の店での割引情報、又は気候等である。提案する旅行の時期における旅行先の混雑の度合は、過去の同時期の宿泊先の稼働率、宿泊状況等から分析可能である。気候は、過去の同時期の天気（特に気温）から分析可能である。
【００５３】
判断部２１２は、ユーザの属性情報に応じてユーザに旅行の計画を推奨するタイミングを判断する。具体的には、判断部２１２は、生活属性情報に基づいて、旅行情報をユーザに提示するかタイミングを判断する。例えば、属性情報からユーザが旅行好きであると推定される場合には、ユーザは、提案された旅行情報（旅行プラン）が提案されるたびに検討する可能性が高い。そのため、属性情報からユーザが旅行好きであることが推定される場合には、判断部２１２は、旅行情報を頻繁にユーザに提案すると判断する。例えば、判断部２１２は、旅行情報を１週間に１回提案すると判断する。ユーザが旅行好きと推定されない場合には、判断部２１２は、旅行情報を１ヶ月に１回提案すると判断する。
【００５４】
出力部２１３は、第１取得部２１０で取得された１つ以上の旅行情報を、判断部２１２で判断された提案のタイミングで通信部２０３を介してユーザに通知する。ここでは、出力部２１３は、通信部２０３を介して情報端末３又は情報端末３ａの少なくともいずれかに旅行情報を出力する。出力部２１３は、第２取得部２１１で取得した旅行先の状況を、さらに通信部２０３を介してユーザに通知する。
【００５５】
評価部２１４は、ユーザに提案した旅行情報に対する評価を行う。例えば、評価部２１４は、ユーザに提案した旅行情報である旅行プランの実行又は不実行を特定する。評価部２１４は、旅行プランの実行又は不実行を特定するに限らず、例えば旅行プランに対するユーザからの旅行会社への問い合わせの有無を特定してもよい。
【００５６】
報知部２１５は、評価部２１４での評価結果と、ユーザの属性情報との相関関係を報知する。例えば、報知部２１５は、相関関係を表示装置３００へ出力する。表示装置３００は、例えば旅行会社に備えられた装置である。ここで、相関関係は、ユーザの属性情報と、ユーザに提案した旅行情報である旅行プランの実行又は不実行とを対応付けた情報である。なお、報知部２１５は、相関関係を表示装置３００へ出力することに限らず、ユーザに相関関係を出力してもよい。
【００５７】
記憶部２０２は、例えばフラッシュメモリなどの電気的に書換可能な不揮発性の半導体メモリで構成される。記憶部２０２は、ユーザに提案するための複数の旅行情報（旅行プラン）と、属性情報とを対応付けた情報を記憶している。
【００５８】
また、記憶部２０２は、機器関連情報を分析することで得られたユーザに対する属性情報と、ユーザに提案した旅行情報とを対応付けた情報を記憶している。
【００５９】
通信部２０３は、第１サーバ１００及び情報端末３，３ａとの通信を行うための通信インタフェースである。本実施形態では、通信部２０３は、インターネット等のネットワーク４に接続されており、第１サーバ１００及び情報端末３，３ａの各々との間で、ネットワーク４を介して双方向の通信を行う。
【００６０】
（２．４）情報端末
情報端末３は、計測ユニット２１の計測結果および旅行情報等を表示する専用のモニターである。情報端末３は、ユーザに情報を提示（表示）する機能を有する端末である。情報端末３は、ＣＰＵ、メモリ、及び通信インタフェースを有するコンピュータを主構成とする。情報端末３は、専用のアプリケーションソフトをインストールし、このアプリケーションソフトを起動することにより、コンピュータを、表示制御部として機能させる。
【００６１】
情報端末３は、表示部３１を有している。表示部３１は、ユーザに情報を提示するための画面（画像等）を表示するように構成される。表示部３１は、例えば、液晶ディスプレイ、有機ＥＬ（Electro Luminescence）ディスプレイ等の画像表示装置により実現される。
【００６２】
情報端末３は、例えばルータ７とケーブルにより接続されている。情報端末３は、ケーブルでルータ７に接続されることで、ルータ７及びネットワーク４を介して第２サーバ２００と通信可能となる。これにより、情報端末３は、第２サーバ２００で生成された旅行情報を表示部３１で表示することができる。
【００６３】
情報端末３ａは、一例として表示部３１ａを備えるスマートフォンである。情報端末３ａは、ＣＰＵ、メモリ、及び通信インタフェースを有するコンピュータを主構成とする。情報端末３ａは、専用のアプリケーションソフトをインストールし、このアプリケーションソフトを起動することにより、コンピュータを、表示制御部として機能させる。また、情報端末３ａは、ユーザの操作を受け付ける機能（操作部）を有している。
【００６４】
本実施形態では、情報端末３ａはタッチパネルディスプレイを搭載しており、タッチパネルディスプレイが表示部３１ａ及び操作部として機能する。ただし、操作部は、タッチパネルディスプレイに限らず、例えばキーボードやポインティングデバイス、メカニカルなスイッチなどであってもよい。
【００６５】
情報端末３ａは、例えばルータ７との間でＷｉ−Ｆｉ（登録商標）に準拠した近距離無線通信の機能を有している。情報端末３ａが施設５内にある場合には、情報端末３ａは、短距離無線通信によりルータ７およびネットワーク４を介して第２サーバ２００と接続される。
【００６６】
情報端末３ａが、施設５外にある場合には、通信事業者が提供する携帯電話網（キャリア網）を介して、ネットワーク４に接続される。携帯電話網には、例えば３Ｇ（第３世代）回線、ＬＴＥ（Long Term Evolution）回線等がある。情報端末３は、公衆無線ＬＡＮ（Local Area Network）を介してネットワーク４に接続されてもよい。
【００６７】
情報端末３ａは、施設５の内外において、第２サーバ２００で生成された旅行情報を表示部３１ａで表示することができる。
【００６８】
（３）旅行提案システムの動作
ここでは、旅行提案システム１０の動作について説明する。
【００６９】
（３−１）第１サーバの動作
第１サーバ１００の動作、具体的には、第１サーバ１００が属性情報を生成する動作について、説明する。
【００７０】
まず、生活属性情報の生成の動作について説明する。
【００７１】
第１サーバ１００の生成部１１０は、計測データ（機器関連情報）を用いて、過去１年間において施設５のユーザが特定の時間帯において不在となっている期間が現れる回数を取得する。例えば、生成部１１０は、計測データを分析して、特定の時間帯（例えば、１９：００〜翌０７：００）における総電力量が所定値（総待機電力量）以下であるか否かを判断する。総電力量が所定値以下である場合には、生成部１１０は、特定の時間帯においてユーザは不在である（外泊している）と判断する。例えば、８月１日における特定の時間帯（８月１日１９：００〜翌０７：００）及び８月２日における特定の時間帯（８月２日１９：００〜翌０７：００）では総電力量が所定値以下であると仮定する。８月３日における特定の時間帯（８月３日１９：００〜翌０７：００）のうちある時間帯では総電力量が所定値より大きい場合には、生成部１１０は、特定の時間帯で不在となる期間（２日間）を特定することができる。このようにして、生成部１１０は、過去１年間の計測データを分析して、ユーザが特定の時間帯において不在となっている期間（不在期間）が現れる回数を取得する。なお、期間には１日の場合も含まれる。
【００７２】
生成部１１０は、計測データ（機器関連情報）を用いて、過去１年間のうち休日におけるユーザの生活状況（休日生活状況）を取得する。例えば、生成部１１０は、過去１年間の計測データのうち休日の計測データを分析して、ユーザが休日には施設５に在宅する時間が長いか、外出する時間が長いかを特定し、その結果を休日生活状況とする。生成部１１０は、休日での特定の時間帯（例えば１０：００〜１９：００）における総電力量が所定値（総待機電力量）以下である場合には外出していると判断する。生成部１１０は、休日での特定の時間帯のうち総電力量が所定値より大きい時間帯が存在する場合にはユーザが施設５に在宅していると判断する。生成部１１０は、休日ごとに、当該休日の特定の時間帯におけるユーザの在・不在を判断して、在宅している日数と、外出している日数とを比較し、その結果を休日生活状況とする。
【００７３】
生成部１１０は、計測データ（機器関連情報）及びセンサ８０（人感センサ）の検出結果（機器関連情報）を用いて、最近（例えば、過去１カ月間）でのユーザの帰宅時間を特定する。ここで、複数のセンサのうち１つのセンサ８０（人感センサ）は施設５の玄関先に設けられているとする。生成部１１０は、計測データ及び玄関先に設けられたセンサ８０の検出結果を分析して、ユーザの帰宅時間を取得する。具体的には、玄関先のセンサ８０が人を検知してから所定時間内（例えば、３分以内）に施設５での総電力量が総待機電力量より大きくなった場合に、生成部１１０は、ユーザが帰宅したと推定する。生成部１１０は、玄関先のセンサ８０が人を検知した時刻を帰宅時間とする。このようにして、生成部１１０は、過去１ヶ月間の計測データ及びセンサ８０の検知結果を分析して、ユーザの日ごとの帰宅時間を推定する。生成部１１０は、推定した１ヶ月分の帰宅時間の平均値である平均帰宅時間を求める。なお、生成部１１０は、過去１ヶ月のうちユーザが仕事に出勤した日（例えば、平日）についての帰宅時間を推定することが好ましい。
【００７４】
生成部１１０は、計測データ（機器関連情報）を用いて、最近（例えば、過去１ヶ月間）でのユーザの睡眠時間を特定する。例えば、生成部１１０は、夜間、施設５のうち寝室に対する計測データを分析して、寝室における電力量が待機電力量以下となった時間から、寝室における電力が待機電力より大きくなった時間までを睡眠時間とする。このようにして、生成部１１０は、過去１ヶ月の日ごとの睡眠時間を取得する。生成部１１０は、日ごとの睡眠時間から過去１ヶ月の平均睡眠時間を求める（特定する）。
【００７５】
生成部１１０は、計測データ（機器関連情報）を用いて、最近（例えば、過去１ヶ月間）でのユーザの入浴時間を特定する。例えば、生成部１１０は、浴室の照明器具５１の計測データを解析して、浴室の照明器具５１の電力量が待機電力量より大きい時間帯を入浴時間とする。このようにして、生成部１１０は、過去１ヶ月の日ごとの入浴時間を取得する。生成部１１０は、日ごとの入浴時間から過去１ヶ月の平均入浴時間を求める（特定する）。なお、生成部１１０は、機器５０として電気給湯器が施設５に備えられている場合には、例えば、浴室の照明器具５１の電力が待機電力より大きく、かつ浴室のシャワー等により電気給湯器が使用されている場合に、ユーザは入浴していると特定してもよい。
【００７６】
生成部１１０は、機器５０ごとの機器稼働情報（機器関連情報）を用いて、最近（例えば、過去１ヶ月間）での機器５０ごとの使用状況を特定する。生成部１１０は、機器５０の機器稼働情報を解析して、過去１ヶ月間において機器５０が使用された回数をカウントする。例えば、生成部１１０は、機器５０の機器稼働情報を解析して、機器５０の状態がオフ状態からオン状態に切り替わった場合に、使用回数として１をカウントする。このようにして、生成部１１０は、最近（例えば、過去１ヶ月間）での機器５０ごとの使用状況を特定する。
【００７７】
生成部１１０は、過去１年間で不在期間が現れる回数、過去１年間の休日生活状況、過去１か月間での平均帰宅時間、平均睡眠時間、平均入浴時間及び機器５０ごとの使用状況のうち少なくとも１つを含む生活属性情報を、第２サーバ２００へ送信する。なお、生活属性情報に機器５０ごとの使用状況を含める場合には、使用状況と対応する機器５０との組として生活属性情報に含める。
【００７８】
上述したように、生成部１１０は、過去１年間で不在期間が現れる回数を特定している。この不在期間は、旅行している期間と推定することができるので、過去１年間で不在期間が現れる回数を過去１年間での旅行回数と推定することができる。つまり、不在期間の回数はユーザが旅行好きであるか、言い換えると旅行を趣味としているかを表す情報として捉えることができる。
【００７９】
生成部１１０は、過去１年間の休日生活状況を特定している。例えば、休日の生活状況が外出している日数よりも在宅している日数が多い場合には、ユーザは施設５内でリラックスして休日を過ごしていると判断することができる。逆に、休日の生活状況が在宅している日数よりも外出している日数が多い場合には、ユーザは施設５外でアクティブに活動を行って休日を過ごしていると判断することができる。つまり、休日生活状況は、ユーザの休日の過ごし方を表す情報、言い換えるとユーザの休日における生活状況を表す情報として捉えることができる。
【００８０】
また、生成部１１０は、過去１か月間の平均入浴時間を特定している。平均入浴時間が長いと、ユーザは、長風呂（お風呂好き）といった生活状況（生活習慣）の持ち主と推定することができる。つまり、平均入浴時間は、日常におけるユーザの入浴に関する生活状況を表す情報として捉えることができる。
【００８１】
生成部１１０は、過去１ヶ月間での機器５０ごとの使用状況を特定している。例えば、機器５０は、美容関連の機器（美容関連機器）であると仮定する。この場合、美容関連機器が過去１ヶ月間において非常によく使用されている場合（例えば、１日１回使用されている場合）、ユーザは美容に関心があると推定することができる。また、機器５０は、マッサージ機であると仮定する。この場合、ユーザは仕事、又は家事等で忙しく疲れが溜まっているためマッサージ機を使用していると推定できる。マッサージ機の使用回数が多いと、マッサージ好きである、又は普段の生活において忙しく疲れが溜まっている状況であると推定できる。つまり、機器５０ごとの使用状況は、当該機器５０に関連する事項に関心がある情報、又は日常における生活状況を表す情報として捉えることができる。
【００８２】
生成部１１０は、過去１か月間の平均帰宅時間及び平均睡眠時間を特定している。例えば、平均帰宅時間が遅い場合には、ユーザは忙しい生活を送っていると推定することができる。また同様に、平均睡眠時間が短い場合も、ユーザは忙しい生活を送っていると推定することができる。つまり平均帰宅時間及び平均睡眠時間は、ユーザの過去１か月間における日常の生活状況を表す情報として捉えることができる。
【００８３】
以上により、生活属性情報は、ユーザの趣味、関心及び日常の生活状況の少なくともいずれかを含む情報として捉えることができる。
【００８４】
次に、旅行属性情報の生成の動作について説明する。
【００８５】
第１サーバ１００の生成部１１０は、計測データ（機器関連情報）を用いて、過去１年間において現れるユーザの不在期間すべてを取得する。不在期間の取得方法については、回数を取得する動作を説明した際に既に説明しているので、ここでの説明は省略する。生成部１１０は、取得した不在期間ごとに、当該不在期間の日数を求める。例えば、８月１日〜８月２日の期間が不在期間である場合には、不在期間の日数は２となる。生成部１１０は、求めたすべての日数及びすべての不在期間を用いて、日数と当該日数からなる不在期間の数とを対応付けた情報（例えば、ヒストグラム）を作成する。以下、日数と当該日数からなる不在期間の数とを対応付けた情報を、旅行期間ヒストグラムという場合がある。
【００８６】
生成部１１０は、計測データに対応付けられた日時を基に、取得したすべての不在期間に対して、不在期間が現れる時期を特定する。時期は、例えば季節、月である。不在期間が８月に現れている場合には、“夏”又は“８月”を当該不在期間が現れる時期として特定する。
【００８７】
生成部１１０は、計測データに対応付けられた日時を基に、取得したすべての不在期間に対して、不在期間の開始曜日と終了曜日とを特定する。
【００８８】
生成部１１０は、日数と当該日数からなる不在期間の数とを対応付けた情報、取得したすべての不在期間のそれぞれに対応するすべての時期及びすべての開始曜日と終了曜日との組のうち少なくとも１つを含む旅行属性情報を、第２サーバ２００へ送信する。
【００８９】
上述したように、不在期間は、旅行している期間と推定することができる。そのため、生成部１１０で取得された不在期間の日数は、１回の旅行における旅行期間とみなすことができる。日数と当該日数からなる不在期間の数とを対応付けた情報を生成部１１０が生成することで、ユーザが好む旅行１回当たりの旅行の日数（旅行期間）を推定することができる。
【００９０】
生成部１１０は、不在期間が現れる時期を特定している。不在期間は、旅行期間とみなすことができるため、不在期間が現れる時期は旅行の時期とみなすことができる。つまり、不在期間が現れる期間を特定することで、ユーザが好んで旅行する時期を推定することができる。
【００９１】
生成部１１０は、不在期間の開始曜日及び終了曜日を特定している。不在期間は、旅行期間とみなすことができるため、不在期間の開始曜日及び終了曜日の組は、旅行日程とみなすことができる。つまり、不在期間の開始曜日及び終了曜日を特定することで、ユーザが好む旅行日程を推定することができる。
【００９２】
以上により、旅行属性情報は、ユーザの旅行に関する情報として捉えることができる。
【００９３】
（３−２）第２サーバの動作
ここでは、第２サーバ２００の動作、具体的には、第２サーバ２００がユーザに対して旅行情報を提案する動作について、説明する。
【００９４】
処理部２０１の第１取得部２１０は、通信部２０３を介して、属性情報を受け取る。第１取得部２１０は、取得した属性情報に適した１つ以上の旅行情報（旅行プラン）を記憶部２０２から取得する。
【００９５】
第１取得部２１０は、属性情報として生活属性情報を受け取り、当該生活属性情報に休日生活状況が含まれている場合には、休日生活情報に応じた１つ以上の旅行情報を取得する。例えば、休日生活情報が在宅している日数が多いことを表す場合には、第１取得部２１０は、ホテル内で楽しめる旅行プラン（レクレーション設備を保有しているホテルでの宿泊を含む旅行プラン等）を取得する。休日生活情報が外出している日数が多いことを表す場合には、第１取得部２１０は、アウトドアで楽しめる旅行プランを取得する。
【００９６】
第１取得部２１０は、属性情報として生活属性情報を受け取り、当該生活属性情報に平均帰宅時間が含まれている場合には、平均帰宅時間に応じた１つ以上の旅行情報を取得する。例えば、平均帰宅時間が所定の時刻（例えば、２１：００）以降である場合には、第１取得部２１０は、例えばリラックスできる旅行情報を取得する。リラックスできる旅行情報とは、マッサージのサービスが含まれる旅行プランである。
【００９７】
第１取得部２１０は、属性情報として生活属性情報を受け取り、当該生活属性情報に平均睡眠時間が含まれている場合には、平均睡眠時間に応じた１つ以上の旅行情報を取得する。例えば、平均睡眠時間が所定時間（例えば、５時間）未満である場合には、第１取得部２１０は、例えばリラックスできる旅行情報を取得する。
【００９８】
第１取得部２１０は、属性情報として生活属性情報を受け取り、当該生活属性情報に平均入浴時間が含まれている場合には、平均入浴時間に応じた１つ以上の旅行情報を取得する。例えば、平均入浴時間が１時間以上である場合には、第１取得部２１０は、露天風呂が備えられている宿泊先を含む温泉付きの旅行情報を取得する。
【００９９】
第１取得部２１０は、属性情報として生活属性情報を受け取り、当該生活属性情報に機器５０ごとの使用状況が含まれている場合には、複数の機器５０のうち特定の機器５０の使用状況に応じた１つ以上の旅行情報を取得する。例えば、特定の機器５０がマッサージ機であると仮定する。過去１ヶ月間でのマッサージ機の使用回数が所定回数（例えば、２０回）以上である場合には、第１取得部２１０は、マッサージ好きと推定されるユーザに提案する旅行情報してプランにマッサージのサービスが含まれる旅行情報を取得する。また、第１取得部２１０は、普段の生活において忙しく疲れが溜まっている状況であると推定されるユーザに提案する旅行情報してプランにマッサージのサービスが含まれる旅行情報、及び露天風呂が備えられている宿泊先を含む温泉付きの旅行情報を取得する。なお、第１取得部２１０は、プランにマッサージのサービスが含まれる旅行情報、及び露天風呂が備えられている宿泊先を含む温泉付きの旅行情報のうちいずれか一方を取得してもよい。また、例えば、特定の機器５０が美容関連機器であると仮定する。第１取得部２１０は、過去１ヶ月間での美容関連機器の使用回数が所定回数（例えば、２０回）以上である場合には、美肌に効果的な食事を提供する食事プランを含む旅行情報を取得する。
【０１００】
第１取得部２１０は、属性情報として旅行属性情報を受け取り、当該旅行属性情報に旅行期間ヒストグラムが含まれている場合には、過去１年間において出現回数が最も多い不在期間を宿泊数とする旅行情報を取得する。
【０１０１】
第１取得部２１０は、属性情報として旅行属性情報を受け取り、当該旅行属性情報に不在期間の時期が含まれている場合には、不在となる時期が最も多い時期を旅行時期とする旅行情報を取得する。
【０１０２】
第１取得部２１０は、属性情報として旅行属性情報を受け取り、当該旅行属性情報に不在期間ごとに当該不在期間の開始曜日と終了曜日との組が含まれている場合には、最も多い開始曜日と終了曜日との組み合わせを旅行日程とする旅行情報を取得する。
【０１０３】
第２取得部２１１は、第１取得部２１０で取得された１つ以上の旅行情報各々について、当該旅行情報に含まれる旅行先の状況を、外部のサーバから取得する。
【０１０４】
判断部２１２は、属性情報としての生活属性情報に過去１年間で不在期間が現れる回数が含まれている場合には、当該回数に応じて、旅行情報を提案するタイミングを判断する。例えば、判断部２１２は、当該回数が６以上である場合には、旅行好きであると推定し、旅行情報を１週間に１回提案すると判断する。
【０１０５】
出力部２１３は、第１取得部２１０で取得した１つ以上の旅行情報、及び第２取得部２１１で取得した旅行先の状況を、判断部２１２で判断されたタイミングで、ユーザに通知する。
【０１０６】
これにより、ユーザは、旅行提案システム１０から旅行の提案を受けることができる。例えば、冬の時期に、金曜日を出発日として２泊３日の旅行を行うことが多いユーザは、旅行時期が冬であり、宿泊数が２泊であり、旅行日程として旅行の開始曜日を金曜日とし終了曜日を日曜日とする旅行情報（旅行プラン）の提案を受けることができる。または、上記ユーザは、宿泊数が２泊であり、旅行日程として旅行の開始曜日を金曜日とし終了曜日を日曜日とする旅行情報（旅行プラン）の提案を受けることができる。
【０１０７】
次に、第２サーバ２００が旅行の提案後に行う評価の動作について説明する。
【０１０８】
第２サーバ２００は、ユーザに提案した１つ以上の旅行情報を記憶部２０２に予め記憶している。また、ユーザに提案した１つ以上の旅行情報の各々には、当該旅行情報を取得する際の条件となった属性情報が対応付けられている。
【０１０９】
評価部２１４は、ユーザによる旅行の申し込みの有無を他のサーバから取得する。ユーザによる旅行の申し込みがあった場合には、評価部２１４は、当該旅行に対する旅行情報を特定する。評価部２１４は、特定した旅行情報が、記憶部２０２で記憶しているユーザに提案した１つ以上の旅行情報のいずれかと同一であるか否かを判断する。特定した旅行情報がユーザに提案した１つ以上の旅行情報のいずれかと同一であると判断する場合、評価部２１４は、当該旅行情報に対する旅行プランが実行され、残りの旅行情報に対する旅行プランは不実行であると特定する。
【０１１０】
報知部２１５は、評価部２１４での旅行情報ごとの評価結果（実行又は不実行）と、旅行情報ごとに対応付けられた属性情報との相関関係を生成し、生成した相関関係を表示装置３００へ出力する。
【０１１１】
なお、第１取得部２１０は、生活属性情報に複数の情報が含まれている場合には、各々の情報について旅行情報を取得する。例えば、生活属性情報に、休日生活状況及び平均帰宅時間が含まれている場合には、第１取得部２１０は、休日生活状況に応じた１つ以上の旅行情報、及び平均帰宅時間に応じた１つ以上の旅行情報を取得する。出力部２１３は、休日生活状況に応じた１つ以上の旅行情報、及び平均帰宅時間に応じた１つ以上の旅行情報をユーザに通知する。また、旅行属性情報に複数の情報が含まれている場合も同様に、第１取得部２１０は、各々の情報について旅行情報を取得する。さらに、属性情報として生活属性情報及び旅行属性情報が含まれている場合にも同様に、第１取得部２１０は、各々の情報について旅行情報を取得する。
【０１１２】
なお、生活属性情報に複数の情報が含まれている場合、旅行属性情報に複数の情報が含まれている場合に、個々の情報で取得されたすべての旅行情報のうち共通する１つ以上の旅行情報を、出力部２１３は、出力してもよい。また同様に、属性情報に生活属性情報と旅行属性情報とが含まれている場合においても、個々の情報で取得されたすべての旅行情報のうち共通する１つ以上の旅行情報を、出力部２１３は、出力してもよい。例えば、生活属性情報に、休日生活状況及び平均帰宅時間が含まれている場合には、出力部２１３は、休日生活状況に応じた１つ以上の旅行情報及び平均帰宅時間に応じた１つ以上の旅行情報のうち共通する１つ以上の旅行情報をユーザに通知してもよい。
【０１１３】
（実施形態２）
本実施形態では、第２サーバ２００が第１取得部２１０で取得した１つ以上の旅行情報をさらに選別する点が、実施形態１とは異なる。以下、本実施形態では、実施形態１と異なる点を中心に説明する。なお、実施形態１と同様の構成要素には同一の符号を付して説明を適宜省略する。
【０１１４】
本実施形態の第２サーバ２００は、図３に示すように、処理部２０１、記憶部２０２及び通信部２０３を備える。処理部２０１は、図３に示すように、第１取得部２１０（情報取得部）、第２取得部２１１（状況取得部）、出力部２１３、評価部２１４、報知部２１５、第１判断部２１６（提案判断部）及び第２判断部２１７（出力判断部）を有している。本実施形態の第２サーバ２００は、実施形態１と同様に、コンピュータを主構成としている。本実施形態の第２サーバ２００は、所定のプログラムを実行することで、コンピュータを、第１取得部２１０、第２取得部２１１、出力部２１３、評価部２１４、報知部２１５、第１判断部２１６、第２判断部２１７及び通信部２０３として機能させる。
【０１１５】
第１判断部２１６は、実施形態１の判断部２１２と同様の機能を有しているので、ここでの説明は省略する。
【０１１６】
第２判断部２１７は、第２取得部２１１で取得された旅行先の状況を基に、当該旅行先を含む旅行情報を、ユーザに通知するか否かを判断する。例えば、ユーザが年配の人であると仮定する。この場合、提案する旅行の時期での旅行先の気候が寒い場合には、当該旅行先を含む旅行情報の提案を止める。また、ユーザに小さい子供がいると仮定する。この場合、提案する旅行の時期での旅行先が混雑している場合には、当該旅行先を含む旅行情報の提案を止める。
【０１１７】
出力部２１３は、第１取得部２１０で取得された１つ以上の旅行情報のうち第２判断部２１７で通知すると判断した旅行情報を、ユーザに通知する。このとき、出力部２１３は、通知すると判断された旅行情報に対応する旅行先の状況をもユーザに通知する。
【０１１８】
ユーザが年配の人である場合、ユーザは旅行先として寒い地域を避ける傾向にある。また、ユーザに小さい子供がいる場合、ユーザは旅行先として混雑している場所を避ける傾向にある。そこで、本実施形態のように、第２サーバ２００が旅行先の状況を基に当該旅行先を含む旅行情報をユーザに通知するか否かを判断することで、ユーザが避ける傾向にある旅行先を提案から除外することができる。
【０１１９】
（変形例）
以下に、変形例について列記する。なお、以下に説明する変形例は、上記各実施形態と適宜組み合わせて適用可能である。
【０１２０】
上記各実施形態では、第１サーバ１００の生成部１１０は、機器関連情報を用いて属性情報を生成する構成としたが、この構成に限定されない。生成部１１０は、ユーザのスケジュールを基に、属性情報を生成してもよい。例えば、ユーザの過去のスケジュールに旅行が含まれている場合には、スケジュールに含まれる旅行の回数、期間（日数）、日程（開始曜日と終了曜日との組）を特定することができる。生成部１１０は、これらの情報のうち少なくとも１つの情報を含む旅行属性情報を生成する。
【０１２１】
または、生成部１１０は、ユーザのスケジュールから生活属性情報を生成してもよい。例えば、スケジュールにゴルフが予定されていれば、ユーザの趣味はゴルフと特定する。また、作成部１１０は、仕事に関するスケジュールから仕事が忙しいか否かを判別して、ユーザの生活状況を特定してもよい。
【０１２２】
または、生成部１１０は、機器関連情報及びユーザのスケジュールの双方を用いて、属性情報を生成してもよい。
【０１２３】
つまり、生成部１１０は、施設５に備えられた機器５０の動作に関する機器関連情報及び施設５のユーザのスケジュールのうち少なくともいずれかを分析して属性情報を生成してもよい。
【０１２４】
上記各実施形態では、旅行情報は、旅行会社店が販売する旅行商品として企画された旅行プランとする構成としたが、この構成に限定されない。旅行情報は、旅行先のみの情報であってもよい。
【０１２５】
上記各実施形態では、生成部１１０は、計測データ（電力データ）を基に旅行属性情報を生成する構成としたが、この構成に限定されない。生成部１１０は、機器５０の機器稼働情報を基に旅行属性情報を生成してもよいし、センサ８０の検知結果を基に旅行属性情報を生成してもよい。または、生成部１１０は、電力データ、機器稼働情報及びセンサ８０の検知結果の組み合わせにより旅行属性情報を生成してもよい。例えば、生成部１１０は、特定の機器５０（例えば照明器具５１）が夜間利用されているか否かによりユーザの在、不在を判断する。具体的には、生成部１１０は、夜間電源がオフ状態である場合には、ユーザは不在と判断する。不在期間を求めた後の旅行属性情報の作成の動作については、既に説明しているので、ここでの説明は省略する。
【０１２６】
上記各実施形態では、センサ８０の検知結果は、生活属性情報を生成する際に機器５０の計測データとともに用いられる構成としたが、この構成に限定されない。生成部１１０は、センサ８０の検知結果のみで生活属性情報を生成してもよい。例えば、生成部１１０は、過去１か月間のセンサ８０の検知結果のみでユーザの日ごとの帰宅時間を推定する。
【０１２７】
また、生成部１１０は、生活属性情報を生成する際の情報の組み合わせは、センサ８０の検知結果と機器５０の計測データとの組み合わせに限らず、他の情報の組み合わせであってもよい。例えば、生成部１１０は、機器５０の計測データと機器稼働情報との組み合わせから生活属性情報を生成してもよい。つまり、生成部１１０は、機器５０の計測データ、機器稼働情報及びセンサ８０の検知結果のうち少なくともいずれかの情報を機器関連情報として用いて生活属性情報を生成してもよい。
【０１２８】
上記各実施形態では、第２サーバ２００の第２取得部２１１が取得する旅行先の状況は、過去のデータから分析された情報であるとしたが、これに限定されない。例えば、旅行情報として旅行先のみを含む場合には、旅行先の現時点での状況、又は現時点から１週間以内の旅行先の状況を、旅行先の状況としてもよい。現時点から１週間以内の旅行先の状況とは、例えば、１週間以内に行われる旅行先での催し物の情報等である。これにより、ユーザに旅行先の状況としてリアルタイム性を有する情報を提供することができる。
【０１２９】
上記各実施形態では、旅行提案システム１０は、第１サーバ１００と第２サーバ２００とを含む構成としたが、この構成に限定されない。旅行提案システム１０は、第１サーバ１００を含まない構成であってもよい。
【０１３０】
上記各実施形態では、記憶部１０２は、第１サーバ１００に備えられている構成としたが、この構成に限定されない。記憶部１０２は、第１サーバ１００とは異なる装置（外部装置）に設けられていてもよい。また、記憶部２０２も同様に、第２サーバ２００とは異なる装置（外部装置）に設けられていてもよい。
【０１３１】
上記各実施形態において、旅行提案システム１０の少なくとも一部の機能は、例えばクラウド（クラウドコンピューティング）によって実現されてもよい。また、第１サーバ１００、第２サーバ２００及びローカル装置４０の各々の機能は分散されて設けられていてもよい。
【０１３２】
上記各実施形態において、機器５０は、ＥＣＨＯＮＥＴ  Ｌｉｔｅ（登録商標）に準拠した通信インタフェースを有しているとしたが、この構成に限定されない。機器５０は、他の規格に準拠した通信インタフェースを有して、ローカル装置４０と通信可能であってもよい。または、機器５０は、無線又は有線によってローカル装置４０と通信可能であってもよい。
【０１３３】
上記各実施形態では、第１サーバ１００は、計測システム２０から施設５の計測データを取得している。第１サーバ１００は、分電盤６の幹線の計測値（消費電力と消費電力量との少なくとも一方）を施設５の計測データとして取得してもよい。この場合、計測システム２０は、電流センサ２４を有さずに、電流センサ２３だけを有していてもよい。また、第１サーバ１００は、計測システム２０の代わりに、スマートメータから施設５の計測データ（消費電力量）を取得してもよい。また、第１サーバ１００は、スマートメータで計測された幹線の消費電力（消費電力量）から、いわゆるディスアグリゲーション技術により、特定の分岐回路又は電気機器の消費電力（消費電力量）を抽出してもよい。
【０１３４】
上記各実施形態では、「施設」は、電力の需要家の施設を意味しているが、これに限定されない。例えば、旅行提案システム１０は、水の需要家の施設に用いられてもよい。この場合、施設の利用状況は、例えば、施設での水の消費量である。また、旅行提案システム１０は、ガスの需要家の施設に用いられてもよい。この場合、施設の計測データは、例えば、施設でのガスの消費量である。要するに、旅行提案システム１０が用いられる施設は、電力、水、ガス等の資源の供給を受ける施設であればよい。
【０１３５】
（まとめ）
以上説明したように、第１の態様の旅行提案システム１０は、第１取得部２１０（情報取得部）と、出力部２１３とを備える。第１取得部２１０は、施設５に備えられた機器５０の動作に関する機器関連情報及び施設５のユーザのスケジュールのうち少なくともいずれかを分析して得られたユーザの属性情報を取得する。出力部２１３は、属性情報に基づいた情報であって少なくとも旅行先を含み、ユーザに旅行の計画を促せる旅行情報を出力する。
【０１３６】
この構成によると、旅行提案システム１０は、ユーザの属性情報を基に、ユーザに旅行の計画を提案することができる。旅行提案システム１０は、機器関連情報及びユーザのスケジュールのうち少なくとも一方を管理することで、管理している情報から属性情報を基にしてユーザに旅行情報を提案することができる。つまり、旅行提案システム１０は、ユーザの日々の生活において、別の行動（旅行）を行う計画を立てるきっかけを与えることができる。そのため、旅行提案システム１０は、ユーザが旅行の機会を逃したり、旅行することで心身ともリフレッシュできなかったりすることで被る不利益を低くすることができる。
【０１３７】
第２の態様の旅行提案システム１０では、第１の態様において、属性情報は、ユーザの趣味、関心及び生活状況のうち少なくともいずれかを含む生活属性情報を含む。出力部２１３は、生活属性情報に適した旅行情報を出力する。この構成によると、旅行提案システム１０は、ユーザの趣味、関心及び生活状況のうち少なくともいずれかに適した旅行の計画を提案することができる。
【０１３８】
第３の態様の旅行提案システム１０では、第１又は第２の態様において、属性情報は、ユーザの旅行に関する情報であってユーザが好む旅行期間、時期及び旅行の日程のうち少なくともいずれかを含む旅行属性情報を含む。出力部２１３は、旅行属性情報に適した旅行情報を出力する。この構成によると、旅行提案システム１０は、ユーザが好む旅行期間、時期及び旅行の日程のうち少なくともいずれかに適した旅行の計画を提案することができる。
【０１３９】
第４の態様の旅行提案システム１０では、第１〜第３のいずれかの態様において、旅行情報は、旅行会社が企画する旅行の旅行プランである。出力部２１３は、属性情報に適した旅行プランを出力する。この構成によると、旅行提案システム１０は、旅行会社が企画する旅行プランを、ユーザに提案することができる。
【０１４０】
第５の態様の旅行提案システム１０は、第１〜第４のいずれかの態様において、旅行情報に含まれる旅行先について提案する旅行の時期の旅行先の状況を取得する第２取得部２１１（状況取得部）を、さらに備える。出力部２１３は、さらに、旅行先の状況を出力する。この構成によると、旅行提案システム１０は、さらに旅行先の状況を出力するので、ユーザは旅行先の状況を考慮して、旅行の計画を立てることができる。
【０１４１】
第６の態様の旅行提案システム１０は、第１〜第４のいずれかの態様において、第２取得部２１１（状況取得部）と、第２判断部２１７（出力判断部）とを、さらに備える。第２取得部２１１は、旅行情報に含まれる旅行先について提案する旅行の時期の当該旅行先の状況を取得する。第２判断部２１７は、旅行先の状況を基に、旅行情報を出力するか否かを判断する。第２判断部２１７で旅行情報を出力すると判断された場合に、出力部２１３は、旅行情報を出力する。この構成によると、旅行提案システム１０は、旅行先の状況を基に、旅行情報の出力の判断を行うので、ユーザに不適切な旅行情報を通知することを抑止することができる。
【０１４２】
第７の態様の旅行提案システム１０は、第１〜第６のいずれかの態様において、属性情報と、出力部２１３で出力された旅行情報の評価との相関関係を報知する報知部２１５を、さらに備える。この構成によると、旅行提案システム１０は、属性情報と旅行情報の評価との相関関係を報知する。そのため、相関関係の報知を受けた人は、属性情報と旅行情報の評価との相関関係を知ることができる。
【０１４３】
第８の態様の旅行提案システム１０では、第７の態様において、報知部２１５は、属性情報と、ユーザによる旅行情報に基づいた旅行の実行又は不実行とを対応付けた情報を、相関関係として報知する。この構成によると、相関関係の報知を受けた人は、ユーザがどのような状況である場合に、どのような旅行を行ったかを分析すること、つまりユーザが好む旅行を知ることができる。
【０１４４】
第９の態様の旅行提案システム１０では、第１〜第８のいずれかの態様において、属性情報は、ユーザの旅行の頻度を含む。旅行提案システム１０は、ユーザの旅行の頻度に応じてユーザに旅行の計画を提案するタイミングを判断する判断部２１２（提案判断部、第１判断部２１６）を、さらに備える。出力部２１３は、判断部２１２（第１判断部２１６）で判断された提案のタイミングで旅行情報を出力する。この構成によると、旅行提案システム１０は、ユーザに旅行情報を提案するタイミングを判断することができる。例えば、旅行好きなユーザに対しては、頻繁に提案を行うことができる。
【０１４５】
第１０の態様の旅行提案システム１０は、第１〜第９のいずれかの態様において、機器関連情報及びスケジュールのうち少なくとも一方を分析して属性情報を生成する生成部１１０を、さらに備える。この構成によると、旅行提案システム１０は、機器関連情報及びスケジュールのうち少なくとも一方を分析して属性情報を生成することができる。
【０１４６】
第１１の態様の旅行提案システム１０では、第１０の態様において、機器関連情報は、機器５０の電力データ（計測データ）、機器５０が稼働しているか否かを表す稼働データ（機器稼働情報）、及びセンサ８０の検知結果のうち少なくともいずれかを含んでいる。この構成によると、旅行提案システム１０は、機器５０の電力データ、機器５０の稼働データ、及びセンサ８０の検知結果を管理することで、属性情報を生成することができる。つまり、旅行提案システム１０は、機器５０の電力データ、機器５０の稼働データ、及びセンサ８０の検知結果を管理することで、ユーザに旅行の計画を提案することができる。
【０１４７】
第１２の態様の情報生成装置（第１サーバ１００）は、生成部１１０と、出力部１１１とを備える。生成部１１０は、施設５に備えられた機器５０の動作に関する機器関連情報及び施設５のユーザのスケジュールのうち少なくともいずれかを分析してユーザの属性情報を生成する。出力部１１１は、第１〜第９のいずれかの態様の旅行提案システム１０に属性情報を出力する。
【０１４８】
この構成によると、情報生成装置は、生成した属性情報を基に、旅行提案システム１０に旅行の計画の提案を行わせることできる。つまり、情報生成装置は、ユーザの属性情報を基に、ユーザに旅行の計画を提案することができる。
【０１４９】
第１３の態様の情報生成装置では、第１２の態様において、生成部１１０は、機器関連情報及びユーザのスケジュールのうち少なくともいずれかに基づいて、ユーザの生活に関する生活属性情報を、属性情報として生成する。この構成によると、情報生成装置は、機器関連情報及びスケジュールのうち少なくとも一方を分析して属性情報を生成することができる。
【０１５０】
第１４の態様の情報生成装置では、第１３の態様において、機器関連情報は、機器５０の電力データ、機器５０が稼働しているか否かを表す稼働データ（機器稼働情報）、及びセンサ８０の検知結果のうち少なくともいずれかを含む。生成部１１０は、機器関連情報を分析して、ユーザの趣味、関心及び生活状況のうち少なくともいずれかを含む生活属性情報を生成する。この構成によると、情報生成装置は、施設５に備えられた機器５０の電力データ、機器５０の稼働データ、及びセンサ８０の検知結果を管理することで、属性情報を生成することができる。つまり、情報生成装置は、施設５に備えられた機器５０の電力データ、機器５０の稼働データ、及びセンサ８０の検知結果を管理することで、ユーザに旅行の計画を提案することができる。
【０１５１】
第１５の態様の情報生成装置では、第１３又は１４の態様において、機器５０の電力データ及びセンサ８０の検知結果を分析して、ユーザの生活状況を少なくとも含む生活属性情報を生成する。この構成によると、情報生成装置は、機器５０の電力データ及びセンサ８０の検知結果を管理することで、属性情報を生成することができる。つまり、情報生成装置は、機器５０の電力データ及びセンサ８０の検知結果を管理することで、ユーザに旅行の計画を提案することができる。
【０１５２】
第１６の態様の情報生成装置では、第１２〜１５のいずれかの態様において、機器関連情報は、機器５０の電力データを含んでいる。生成部１１０は、機器関連情報に基づいて、ユーザの旅行に関する旅行属性情報を、属性情報として生成する。この構成によると、情報生成装置は、機器の電力データを管理することで、属性情報を生成することができる。つまり、情報生成装置は、施設５に備えられた機器の電力データを管理することで、ユーザに旅行の計画を提案することができる。
【０１５３】
第１７の態様の情報生成装置では、第１６の態様において、生成部１１０は、機器５０の電力データに基づいてユーザの不在期間を特定する。生成部１１０は、不在期間をユーザが旅行した期間として、ユーザが好む旅行の日数、旅行の時期及び旅行の日程のうち少なくともいずれかを含む旅行属性情報を生成する。この構成によると、情報生成装置は、機器の電力データを管理することで、ユーザが好む旅行期間、時期及び旅行の日程のうち少なくとも含む旅行属性情報を生成することができる。
【０１５４】
第１８の態様の旅行提案方法は、情報取得ステップと、出力ステップとを含む。情報取得ステップは、施設５に備えられた機器５０の動作に関する機器関連情報及び施設５のユーザのスケジュールのうち少なくともいずれかを分析して得られたユーザの属性情報を取得する。出力ステップは、属性情報に基づいた情報であって少なくとも旅行先を含み、ユーザに旅行の計画を促せる旅行情報を出力する。
【０１５５】
この旅行提案方法によると、ユーザの属性情報を基に、ユーザに旅行の計画を提案することができる。旅行提案方法は、ユーザの日々の生活において、別の行動（旅行）を行う計画を立てるきっかけを与えることができる。そのため、旅行提案方法は、ユーザが旅行の機会を逃したり、旅行することで心身ともリフレッシュできなかったりすることで被る不利益を低くすることができる。
【０１５６】
第１９の態様の情報生成方法は、生成ステップと、出力ステップとを含む。生成ステップは、施設５に備えられた機器５０の動作に関する機器関連情報及び施設５のユーザのスケジュールのうち少なくともいずれかを分析してユーザの属性情報を生成する。出力ステップは、第１〜第９のいずれか一項に記載の旅行提案システム１０に属性情報を出力する。
【０１５７】
この情報生成方法によると、生成した属性情報を基に、旅行提案システム１０に旅行の計画の提案を行わせることできる。つまり、情報生成方法は、ユーザの属性情報を基に、ユーザに旅行の計画を提案することができる。
【０１５８】
第２０の態様のプログラムは、コンピュータシステムに、情報取得処理と、出力処理とを  実行させるためのプログラムである。情報取得処理は、施設５に備えられた機器５０の動作に関する機器関連情報及び施設５のユーザのスケジュールのうち少なくともいずれかを分析して得られたユーザの属性情報を取得する。出力処理は、属性情報に基づいた情報であって少なくとも旅行先を含み、ユーザに旅行の計画を促せる旅行情報を出力する。
【０１５９】
このプログラムによると、ユーザの属性情報を基に、ユーザに旅行の計画を提案することができる。このプログラムは、ユーザの日々の生活において、別の行動（旅行）を行う計画を立てるきっかけを与えることができる。そのため、このプログラムは、ユーザが旅行の機会を逃したり、旅行することで心身ともリフレッシュできなかったりすることで被る不利益を低くすることができる。
【０１６０】
第２１の態様のプログラムは、コンピュータシステムに、生成処理と、出力処理とを実行させるためのプログラムである。生成処理は、施設５に備えられた機器５０の動作に関する機器関連情報及び施設５のユーザのスケジュールのうち少なくともいずれかを分析してユーザの属性情報を生成する。出力処理は、第１〜第９のいずれかの態様の旅行提案システム１０に属性情報を出力する。
【０１６１】
このプログラムによると、生成した属性情報を基に、旅行提案システム１０に旅行の計画の提案を行わせることできる。つまり、このプログラムは、ユーザの属性情報を基に、ユーザに旅行の計画を提案することができる。
【符号の説明】
【０１６２】
５    施設
１０    旅行提案システム
５０    機器
８０    センサ
１００    第１サーバ（情報生成装置）
１１０    生成部
１１１    出力部
２００    第２サーバ
２１０    第１取得部（情報取得部）
２１１    第２取得部（状況取得部）
２１２    判断部（提案判断部）
２１３    出力部
２１５    報知部
２１６    第１判断部（提案判断部）
２１７    第２判断部（出力判断部）
【図１】
2018112888.tif 000003
【図２】
2018112888.tif 000004
【図３】
2018112888.tif 000005